(57)【特許請求の範囲】
【請求項１】
釣り用リールの回転するハンドル軸の先端に設けられたハンドルであって、
前記ハンドル軸の先端に固定され、前記ハンドル軸の径方向外方に延びるアーム部材と、
前記アーム部材の先端に設けられた軸支部と、
前記軸支部に一端が回転自在に支持された回動部材と、
前記回動部材の他端に固定された把手部材と、を備え、
前記軸支部は、前記アーム部材の先端に設けられたボス部と、前記ボス部の内部に前記アーム部材の延びる方向と交差する方向に沿って配置された軸受とを有し、
前記回動部材は、前記軸受により前記軸支部に回転自在に支持されている、釣り用リールのハンドル。
【請求項２】
前記ボス部は、前記アーム部材の先端に一体で形成され内部に前記軸受が配置されている、請求項１に記載の釣り用リールのハンドル。
【請求項３】
前記ボス部は、前記アーム部材の先端に着脱自在に嵌め込まれ、内部に前記軸受が配置された筒状のボス本体と、前記ボス本体を前記アーム部材に固定するためのネジ部材とを有する、請求項１に記載の釣り用リールのハンドル。
【請求項４】
前記回動部材は、
前記軸受に支持される軸部と、
前記軸部の先端から前記アーム部材に沿う方向に延びた後湾曲して前記ハンドル軸の軸方向外方に延びる連結部とを有し、
前記把手部材は、前記連結部の先端部にその基端部が固定され、前記連結部の先端が延びる方向と交差する方向に配置されている、請求項１から３のいずれかに記載の釣り用リールのハンドル。
【請求項５】
前記回動部材は、
前記軸受に支持される軸部と、
前記軸部の先端から前記アーム部材が延びる方向と交差する方向に延びる連結部とを有し、
前記把手部材は、前記連結部の先端に固定され、前記連結部が延びる方向と交差する方向に配置されている、請求項１から３のいずれかに記載の釣り用リールのハンドル。
【請求項６】
前記連結部は偏平な部材である、請求項４又は５に記載の釣り用リールのハンドル。
【発明の詳細な説明】
【０００１】
【発明の属する技術分野】
本発明は、ハンドル、特に、スピニングリールや両軸受リール等の釣り用リールのハンドル軸の先端に設けられたハンドルに関する。
【０００２】
【従来の技術】
スピニングリールや両軸受リールや片受けリール等の釣り用リールのハンドル軸の先端にはハンドルが固定されている。この種の釣り用リール、特に大型リールのハンドルは、いわゆるＴ字型のハンドルであり、ハンドル軸の先端に固定されたアーム部材と、アーム部材の先端に固定された固定軸と、固定軸に支持された筒状の把手軸と、把手軸にＴ字型に固定された棒状の把手部材とを有している。固定軸はハンドル軸と平行に配置されており、把手軸は固定軸の外周側に同芯で配置され固定軸に回転自在に支持されている。把手部材は、把手軸の先端部に中心部が固定され、把手軸と垂直に交差して配置されている。
【０００３】
このようなハンドルを持ってハンドル軸を回転させる際には、把手部材を指で握って手先を円運動させる。このとき、たとえば中指と薬指との間に把手軸を挟んで把手部材を握り、把手軸と手の中心（力の中心）とのずれを少なくし、把手軸の回転軌跡と手の中心の回転軌跡とがあまりずれないようにして、ハンドル軸を効率よく回転させるようにしている。
【０００４】
【発明が解決しようとする課題】
前記従来のＴ字型のハンドルでは、把手部材を握ってハンドルを回転させるとき、指と指の間に把手軸が挟まれている。この把手軸を回転自在に支持するために、把手軸の内部には１対の軸受が間隔を隔てて配置されている。この軸受が配置されているため、把手軸の外径が太くなる。このため、特に、大きな魚がかかって強い力でハンドルを回す必要があるとき、把手軸に指が食い込み痛くなることがある。これは、把手部材を力を入れて握ると、把手軸を挟む指と指とが接近するように力が入るからである。これを防止するために、把手軸をスポンジ等の弾性部材で被覆することが行われている。しかし、弾性部材で把手軸を被覆すると、把手軸が一層太くなってしまい、握り心地が悪くなる。
【０００５】
本発明の課題は、釣り用リールのハンドルにおいて、力を入れて指でハンドルを握ったときに指が痛くならないようにすることにある。
【０００６】
【課題を解決するための手段】
発明１に係る釣り用リールのハンドルは、釣り用リールの回転するハンドル軸の先端に設けられたハンドルであって、アーム部材と、軸支部と、回動部材と、把手部材とを備えている。アーム部材は、ハンドル軸の先端に固定され、ハンドル軸の径方向外方に延びている。軸支部は、アーム部材の先端に設けられている。回動部材は、軸支部に一端が回転自在に支持されている。把手部材は、回動部材の他端に固定されている。軸支部は、アーム部材の先端に設けられたボス部と、ボス部の内部にアーム部材の延びる方向と交差する方向に沿って配置された軸受とを有し、回動部材は、軸受により軸支部に回転自在に支持されている。
【０００７】
ここでは、把手部材を握ってハンドルを回転させる。この際に、把手部材が固定される回動部材は、一端が軸支部により回転自在に支持されているので、把手部材が固定される他端側の形状及び寸法等を自由に設定できる。このため、回動部材を指で挟む場合には、挟まれる部分の回動部材の厚みを薄くすることで力を入れて指でハンドルを握ったときに指が痛くならないようにすることができる。また、回動部材を挟まなくてもよいように形状を工夫すれば、指に挟まれる部材がなくなるので、力を入れて指でハンドルを握ったときに指が痛くならないようにすることができる。また、アーム部材の先端に設けられたボス部の内部で回動部材が軸受により支持されているので、回動部材の回転が滑らかになる。
【０００８】
発明２に係る釣り用リールのハンドルは、発明１に記載のハンドルにおいて、ボス部は、アーム部材の先端に一体で形成され内部に前記軸受が配置されている。この場合には、ボス部がアーム部材と一体で形成されているので、ボス部の構成が簡素になる。
【０００９】
発明３に係る釣り用リールのハンドルは、発明１に記載のハンドルにおいて、ボス部は、アーム部材の先端に着脱自在に嵌め込まれ、内部に前記軸受が配置された筒状のボス本体と、ボス本体をアーム部材に固定するためのネジ部材とを有する。この場合には、ボス部がアーム部材に対して着脱自在であるので、ボス部のメンテナンスが容易である。
【００１０】
発明４に係る釣り用リールのハンドルは、発明１から３のいずれかに記載のハンドルにおいて、回動部材は、軸受に支持される軸部と、軸部の先端からアーム部材に沿う方向に延びた後湾曲してハンドル軸の軸方向外方に延びる連結部とを有し、把手部材は、連結部の先端部にその基端部が固定され、連結部の先端が延びる方向と交差する方向に配置されている。この場合には、ハンドル軸を回転させる際には、把手部を指で握って手先を回転運動させる。この把手部材は、基端部が回動部材に固定されているので、間に指に挟まれる部材はない。このため、指に力を入れても指が痛くなることがない。
【００１１】
発明５に係る釣り用リールのハンドルは、発明１から３のいずれかに記載のハンドルにおいて、回動部材は、軸受に支持される軸部と、軸部の先端からアーム部材が延びる方向と交差する方向に延びる連結部とを有し、把手部材は、連結部の先端に固定され、連結部が延びる方向と交差する方向に配置されている。この場合には、Ｔ字型のハンドルにおいて、指に挟まれる連結部ではなく軸部が回転自在に支持されているので、連結部の指に挟まれる部分の寸法を小さくすることで力を入れて指でハンドルを握ったときに指が痛くならないようにすることができる。
【００１２】
発明６に係る釣り用リールのハンドルは、発明４又は５に記載のハンドルにおいて、連結部は偏平な部材である。この場合には、偏平な連結部の肉厚を薄くすることにより、指で連結部を挟む場合にはその薄肉側を指で挟むようにすることで、力を入れても指が痛くなりにくい。また、指で連結部を挟まない場合には、薄肉側で湾曲させることで種々の形状に加工しやすくなる。
【００１３】
【発明の実施の形態】
実施形態１
図１〜図３において、本発明の一実施形態を採用した両軸受リールは、レバードラグ型のものであり、内部にスプール４が配置されたリール本体１と、リール本体１の側方に揺動自在に配置されたドラグ操作レバー２と、ドラグ操作レバー２の下方でリール本体１に回転自在に支持されたハンドル３とを備えている。
【００１４】
リール本体１は、左右１対の側板１０，１１及び側板１０，１１を連結する複数の連結部１２からなるフレーム９と、フレーム９を両側で覆う側カバー１３，１４とを有している。リール本体１の上部にはカウンターケース１５が固定されている。カウンターケース１５には、液晶表示部１６や操作キー部１７が設けられている。液晶表示部１６は、スプール４（後述）から繰り出された釣り糸先端部の水深を表示する。操作キー部１７は、棚位置や表示モードの選択操作等を行うときに使用される。
リール本体１の内部には、スプール４が回転自在かつ軸方向に移動自在に支持されている。スプール４の図１右側には、ドラグ機構（図示せず）が設けられており、スプール軸に連結されたドラグ操作レバー２を揺動させることでスプール４が軸方向右側に移動してドラグ機構に接触する。また、リール本体１の内部にはハンドル３の回転をスプールに伝達する伝達機構２０が設けられている。
【００１５】
側カバー１４のドラグ操作レバー２の下方には突出筒１４ａが形成されている。この突出筒１４ａの内部にはスプール４に平行にハンドル軸２１が配置されている。ハンドル軸２１は、突出筒１４ａの両端に配置された２つの軸受２２，２３により突出筒１４ａに回転自在に支持されている。
【００１６】
ハンドル３は、ハンドル軸２１の先端に固定されている。ハンドル３は、ハンドル軸２１の先端に固定されたアーム部材３０と、アーム部材３０の先端に回動自在に支持された回動部材３１と、回動部材３１の先端に固定された把手部材３２とを備えている。
アーム部材３０は、アーム本体３３と、アーム本体３３の基端側に嵌装着されたカバー部３４とを有している。アーム本体３３は、ハンドル軸２１の径方向に延びる棒状の部材であり、ハンドル軸２１の先端にねじ込まれたボルト３５によりその基端が固定されている。
【００１７】
アーム本体３３の先端には、図４に示すように、軸支部３６が設けられている。軸支部３６は、アーム本体３３の先端に一体で形成されたボス部４０と、ボス部４０の内部にアーム部材３０の延びる方向と直交する方向に間隔を隔てて配置された１対の転がり軸受４１，４２とを有している。ボス部４０の内部には、ハンドル軸２１と平行に段付の丸孔４３が形成されており、この丸孔４３の両端に転がり軸受４１，４２が配置されている。また、丸孔４３の図４左端にはキャップ４５がねじ込まれている。
回動部材３１は、軸受４１，４２によりボス部４０に回動自在に支持された軸部４６と、軸部４６に回動不能に連結された連結部４７とを有している。軸部４６は、一端に鍔部４６ａが形成された軸部材であり、取付ネジ４８によりボス部４０に取り付けられている。軸部４６の鍔部４６ａに隣接して外周部にはセレーション４６ｂが形成されており、このセレーション４６ｂに連結部４７の基端部が装着されている。連結部４７は、アーム部材３０に沿う方向から直角に湾曲して先端がハンドル軸２１の軸方向外方に延びるＬ字状の板部材である。このため、回動部材３１は、ハンドル軸２１とほぼ平行な軸回りに回動自在にアーム部材３０の先端に支持される。
【００１８】
把手部材３２は、図１〜図３に示すように、回動部材３１の連結部４７の先端部に基端部が固定され、回動部材３１が延びる方向と直交する方向に配置された棒状の部材である。把手部材３２は、回動部材３１の先端部に２本のビス５４により固定されたほぼ筒状の把手本体５０と、把手本体５０の固定端部に嵌め込まれ固定された親指載置部５１と、把手本体５０の先端にねじ込まれた尻栓５２とを有している。把手本体５０は、通常の人が手の人差し指から薬指までで握れる長さ（たとえば、７０ｍｍ前後）を有している。親指載置部５１は、把手本体５０と逆側に配置されており、中心部が回動部材３１を貫通して把手本体５０側に延び把手本体５０にビス５３により固定されている。親指載置部５１は、回動部材３１を挟んで固定用のビス５４を隠すように配置されており、把手部材３２の固定側端部から回動部材３１の一部を覆うような形状になっている。親指載置部５１の表面は家や窪んだ滑らかな載置面５１ａとなっている。
【００１９】
次に、両軸受リールの操作方法について説明する。
【００２０】
船縁から釣り糸を繰り出すときには、ドラグ操作レバー２をたとえば、手前側（図３左側）に揺動させ、スプール４への制動を解除する。これにより、釣り糸は重りの自重により繰り出される。このときの繰り出し量（仕掛けの水深）は、液晶表示部１６に表示される。そして、釣り糸が所定量繰り出されると、ドラグ操作レバー２を図３右側の適当な位置に揺動させ、スプール４に制動をかけて釣り糸の繰り出しを停止する。この状態で仕掛けに魚がかかると、ハンドル３を回して、釣り糸をスプール４に巻き付ける。このとき、把手本体５０を、たとえば右手の人差し指から小指までで握り、親指を親指載置部５１の載置面５１ａに載置する。そして、手先を回転運動させることでハンドル３を回転させる。この回転は、ハンドル軸２１から伝達機構を介してスプール４に伝達されスプール４が巻取方向に回転する。
【００２１】
このとき、ハンドル３の把手本体５０には指に挟まれる部材はないので、力を入れて指が接近しても指が痛くなりにくい。また、親指が親指載置部５１に載置されているので、力を入れると、人差し指から小指までが親指側に近づき、把手部材３２をより強く握ることができる。さらに、一旦ハンドル軸２１の径方向に延びた回動部材３１が湾曲し、把手部材３２につながっていわゆる「半環状」をなすので、把手部材３２を握った手の中心と回動部材３１の回動中心とのずれが少なくなり、回動中心の回転軌跡と手の中心の回転軌跡とがあまりずれないようになり、ハンドル軸２１を効率よく回転させることができる。
【００２２】
実施形態２
図１に示す実施形態１では、軸支部３６のボス部４０をアーム本体３３と一体で設けたが、アーム本体３３と別に設けてもよい。また、実施形態１では１対の転がり軸受により回動部材３１を支持したが、１つの軸受で支持してもよい。
図５において、本発明の実施形態２を採用した両軸受リールのハンドル３は、アーム部材３０ａと、回動部材３１と、把手部材３２とを有している。アーム部材３０ａは、ハンドル軸２１の径方向に延びる板状の部材であり、ハンドル軸２１の先端にねじ込まれたボルト３５によりその基端が固定されている。
【００２３】
アーム部材３０ａの先端には、図６に示すように、丸孔６０が形成されており、この丸孔６０に筒状の軸支部３６ａが装着されている。軸支部３６ａは、丸孔６０に着脱自在に装着されたボス部４０ａと、ボス部４０ａの内部にアーム部材３０ａの延びる方向と交差する方向に沿って配置された針状ころ軸受（ニードルベアリング）からなる転がり軸受４１ａとを有している。ボス部４０ａは、鍔付筒状のボス本体４０ｂと、ボス本体４０ｂをアーム部材３０ａの先端に固定するためのキャップ４０ｃとを有している。ボス本体４０ｂの内部には、ハンドル軸２１と平行に段付の丸孔４３が形成されており、この丸孔４３に転がり軸受４１ａが配置されている。この転がり軸受４１ａにより回動部材３１の軸部４６が回転自在に支持されている。
回動部材３１及び把手部材３２の構成を含む他の構成や動作は実施形態１と実質的に同じであるので説明を省略する。
【００２４】
このような実施形態２では、前記実施形態１の効果に加え軸支部３６が着脱自在であるので、メンテナンスが容易である。
【００２５】
実施形態３
前記２つの実施形態では、回動部材を湾曲させて指で回動部材を挟まない構成にしたが、図７及び図８に示すように、指で回動部材を挟むＴ字型のハンドル３ａにも本発明を適用できる。ハンドル３ａにおいて、アーム部材３０の構成やその他構成及び動作は、実施形態１と同様であるので説明を省略する。
【００２６】
回動部材３１ａは、軸部４６と連結部４７ａとを有している。軸部４６は、軸支部３６に回転自在に支持される。連結部４７ａは、軸部４６と一体で形成され、軸部４６からハンドル軸２１に平行に外方に延びている。連結部４７ａは断面が偏平な板状部材であり、その厚みが薄い部材である。連結部４７ａの幅広面４７ｂは、把手部材３２の軸と直交するように配置されている。つまり、図７では、連結部４７ａの厚みが図示され、図８では幅が図示される。把手部材３２は、ほぼ筒状の把手本体７０を有している。この把手本体７０の軸方向の中心部よりややずれた位置に連結部４７ａの先端部が挿入されている。なお、軸方向の中心部に先端部を挿入してもよい。この連結部４７ａの先端部に、ビス７１により把手本体７０が固定されている。
【００２７】
このような実施形態３では、把手部材３２ａを握ると指で連結部４７ａが挟まれるが、連結部４７ａの厚みが薄いので、力を入れても指が痛くなりにくい。
【００２８】
（ａ）  本発明は、ドラグレバー型の両軸受リールに限定されるものではなく、ハンドル軸にドラグ機構を装着した両軸受リール、片軸受リール、スピニングリール等の全ての釣り用リールのハンドルに適用できる。
【００２９】
（ｂ）  本発明は、アーム部材の一端に把手部材が配置されたシングルハンドル型に限定されるものではなく、アーム部材の両端に把手部材が配置されたダブルハンドル型にも適用できる。
【００３０】
【発明の効果】
本発明によれば、回動部材の一端が軸支部により回転自在に支持されているので、把手部材が固定される他端側の形状及び寸法等を自由に設定できる。このため、回動部材を指で挟む場合には、挟まれる部分の回動部材の厚みを薄くすることで力を入れて指でハンドルを握ったときに指が痛くならないようにすることができる。また、回動部材を挟まなくてもよいように形状を工夫すれば、指に挟まれる部材がなくなるので、力を入れて指でハンドルを握ったときに指が痛くならないようにすることができる。また、アーム部材の先端に設けられたボス部の内部で回動部材が軸受により支持されているので、回動部材の回転が滑らかになる。
【図面の簡単な説明】
【図１】  本発明の一実施形態を採用した両軸受リールの一部破断背面図。
【図２】  その平面図。
【図３】  その側面図。
【図４】  アーム部材の先端部の断面図。
【図５】  実施形態２の図１に相当する図。
【図６】  実施形態２の図４に相当する図。
【図７】  実施形態３の図１に相当する図。
【図８】  実施形態３の図２に相当する図。
【符号の説明】
３，３ａ  ハンドル
２１  ハンドル軸
３０，３０ａ  アーム部材
３１，３１ａ  回動部材
３２，３２ａ  把手部材
３３  アーム本体
３６  軸支部
４０，４０ａ  ボス部
４０ｂ  ボス本体
４０ｃ  キャップ
４１，４２  転がり軸受
４６  軸部
４７，４７ａ  連結部
【図１】
0003805852.tif 000002
【図２】
0003805852.tif 000003
【図３】
0003805852.tif 000004
【図４】
0003805852.tif 000005
【図５】
0003805852.tif 000006
【図６】
0003805852.tif 000007
【図７】
0003805852.tif 000008
【図８】
0003805852.tif 000009